(57)【要約】【課題】  台所での作業性を維持しつつ、生ゴミ処理装置を設置することのできる生ゴミ処理装置設置構造を提供する。【解決手段】  流し台２の排水口２１に連通されて、当該排水口２１に流し入れられた生ゴミを処理する生ゴミ処理装置３を設置するための生ゴミ処理装置設置構造１である。生ゴミ処理装置設置構造１は、流し台２の近傍であって、流し台２の直下方の空間を避けるように生ゴミ処理装置３を設置するようになっている。【選択図】図１
2015071913.tif 000002
【特許請求の範囲】
【請求項１】
流し台の排水口に連通されて、当該排水口に流し入れられた生ゴミを処理する生ゴミ処理装置を設置するための生ゴミ処理装置設置構造において、
前記流し台の近傍であって、前記流し台の直下方の空間を避けるように前記生ゴミ処理装置を設置することを特徴とする生ゴミ処理装置設置構造。
【請求項２】
請求項１記載の生ゴミ処理装置設置構造において、
前記流し台の背面には、前記生ゴミ処理装置を収納するための収納部が前記流し台と一体的に設けられていることを特徴とする生ゴミ処理装置設置構造。
【請求項３】
請求項１記載の生ゴミ処理装置設置構造において、
前記流し台は、当該流し台が設置された台所と、前記台所に隣接する収納部屋との境界をなす壁の近傍に設置されていて、
前記収納部屋には、前記生ゴミ処理装置を収納するための収納部が設けられていることを特徴とする生ゴミ処理装置設置構造。
【請求項４】
請求項２又は３記載の生ゴミ処理装置設置構造において、
前記収納部は、当該収納部に近接する他の空間に対する気密性が確保されていることを特徴とする生ゴミ処理装置設置構造。
【請求項５】
請求項４記載の生ゴミ処理装置設置構造において、
前記流し台にはコンロが備えられていて、
前記コンロの上方に設置された換気扇と、前記収納部とが連通しており、前記収納部の内部は、前記換気扇によって換気されることを特徴とする生ゴミ処理装置設置構造。
【発明の詳細な説明】
【技術分野】
【０００１】
本発明は、生ゴミ処理装置設置構造に関する。
【背景技術】
【０００２】
近年、流し台の下の空間に組み込まれる生ゴミ処理装置が知られている（例えば特許文献１参照）。
【先行技術文献】
【特許文献】
【０００３】
【特許文献１】特開２００５−６６４７８号公報
【発明の概要】
【発明が解決しようとする課題】
【０００４】
流し台の下の空間に生ゴミ処理装置が設置されると、その他のものを収納する空間が減ってしまい、調理器具や調味料などの台所周りで用いられる物品を流し台から離れた別の場所に収納しなければならず、台所での作業性が低下することも考えられる。
このため、本発明の課題は、台所での作業性を維持しつつ、生ゴミ処理装置を設置することのできる生ゴミ処理装置設置構造を提供することである。
【課題を解決するための手段】
【０００５】
請求項１記載の発明は、例えば図１及び図２に示すように、
流し台２の排水口２１に連通されて、当該排水口２１に流し入れられた生ゴミを処理する生ゴミ処理装置３を設置するための生ゴミ処理装置設置構造１において、
前記流し台２の近傍であって、前記流し台２の直下方の空間を避けるように前記生ゴミ処理装置３を設置することを特徴としている。
【０００６】
請求項１記載の発明によれば、生ゴミ処理装置３が、流し台２の近傍であって流し台２の直下方の空間を避けるように設置されているので、流し台２の下の収納空間が生ゴミ処理装置３によって手狭になってしまうことが防止される。したがって、台所１００周りで用いられる物品を流し台２の収納空間に収納することができ、台所１００での作業性を維持した状態で、生ゴミ処理装置３を設置することができる。
【０００７】
請求項２記載の発明は、請求項１記載の生ゴミ処理装置設置構造において、例えば図１及び図２に示すように、
前記流し台２の背面には、前記生ゴミ処理装置３を収納するための収納部４が前記流し台２と一体的に設けられていることを特徴としている。
【０００８】
請求項２記載の発明によれば、生ゴミ処理装置３を収納するための収納部４が流し台２の背面で流し台２と一体的に設けられているので、流し台２の収納空間を維持しつつも、流し台２と一体的に生ゴミ処理装置３を収納することが可能となる。
【０００９】
請求項３記載の発明は、請求項１記載の生ゴミ処理装置設置構造において、例えば図３に示すように、
前記流し台２は、当該流し台２が設置された台所１００と、前記台所１００に隣接する収納部屋１０２との境界をなす壁１０１の近傍に設置されていて、
前記収納部屋１０２には、前記生ゴミ処理装置３を収納するための収納部４Ａが設けられていることを特徴としている。
【００１０】
請求項３記載の発明によれば、生ゴミ処理装置３を収納するための収納部４Ａが台所１００とは別室の収納部屋１０２に設けられているので流し台２の大型化を抑制しつつ、生ゴミ処理装置３を収納することができる。
【００１１】
請求項４記載の発明は、請求項２又は３記載の生ゴミ処理装置設置構造において、例えば図１〜図３に示すように、
前記収納部４，４Ａは、当該収納部４，４Ａに近接する他の空間に対する気密性が確保されていることを特徴としている。
【００１２】
請求項４記載の発明によれば、収納部４，４Ａでは、近接する他の空間に対する気密性が確保されているので、生ゴミ処理装置３から発生する臭いが収納部４，４Ａの外部に漏れ出ることを防止することができる。
【００１３】
請求項５記載の発明は、請求項４記載の生ゴミ処理装置設置構造において、例えば図１及び図２に示すように、
前記流し台２にはコンロ２３が備えられていて、
前記コンロ２３の上方に設置された換気扇６と、前記収納部４とが連通しており、前記収納部４の内部は、前記換気扇６によって換気されることを特徴としている。
【００１４】
請求項５記載の発明によれば、コンロ２３上方に設置された換気扇６を用いて収納部４内が換気されるので、収納部専用の換気装置を搭載しなくとも、収納部４内の換気を行えることとなる。また、コンロ２３上方の換気扇６は、建物の外部に排気するようになっているため、収納部４内の臭いが建物内に流れ出ることも防止することができる。
【発明の効果】
【００１５】
本発明によれば、台所での作業性を維持しつつ、生ゴミ処理装置を設置することのできる生ゴミ処理装置設置構造を提供することができる。
【図面の簡単な説明】
【００１６】
【図１】本実施形態に係る生ゴミ処理装置設置構造の概略構成を示す上面視図である。
【図２】図１の生ゴミ処理装置設置構造の概略構成を示す側面図である。
【図３】図１の生ゴミ処理装置設置構造の変形例を示す上面視図である。
【発明を実施するための形態】
【００１７】
以下、図面を参照して本発明の実施の形態について説明する。
図１は本実施形態に係る生ゴミ処理装置設置構造の概略構成を示す上面視図である。図２は生ゴミ処理装置設置構造の概略構成を示す側面図である。
図１及び図２に示すように、生ゴミ処理装置設置構造１は、流し台２の排水口２１に連通されて、当該排水口２１に流し入れられた生ゴミを処理する生ゴミ処理装置３を設置するためのものである。そして、流し台２の近傍であって、流し台２の直下方の空間を避けるように生ゴミ処理装置３が設置されている。
【００１８】
以下、生ゴミ処理装置設置構造１について詳細に説明する。
流し台２の一端部は台所１００の壁１０１に取り付けられており、流し台２は所謂ペニンシュラキッチンである。なお、本発明の構成は所謂アイランドキッチンに対しても適用可能である。そして、流し台２は、壁１０１に直交する方向に延在している。流し台２の上面における壁１０１から離れた端部にはシンク２２が設けられ、壁１０１側の端部にはコンロ２３が設けられている。また、流し台２の内部空間は台所用品などが収納される収納空間となっている。収納空間には引き出し２４や、図示しない棚等が設置されている。
また、流し台２の背面には、生ゴミ処理装置３を収納するための収納部４が流し台２と一体的に設けられている。流し台２の背面によって、流し台２の収納空間と収納部４とが遮られている。収納部４には、四方を囲む壁と、その壁の上に設置された天板４３と、床から一定の距離を空けて配置された底板４２とが設けられている。そして、収納部４の壁には、生ゴミ処理装置３のメンテナンスをするための扉が設けられている。なお、収納部４の壁は、住宅の壁から形成されていても、流し台２の背面をなす壁体から形成されていてもよい。また、底板４２が設けられておらず、直接台所の床が収納部４の底になっていてもよい。
そして、収納部４の天板４３の上面は、流し台２の上面と面一に形成されている。収納部４の内部におけるコンロ２３に対向する位置に生ゴミ処理装置３が収納されている。なお、図示はしないもののシンク２２の排水口２１には生ゴミ処理装置３の生ゴミ粉砕装置が取り付けられている。この生ゴミ粉砕装置と生ゴミ処理装置３の本体とがパイプを通じて連通しており、生ゴミ粉砕装置によって粉砕された生ゴミは、生ゴミ処理装置３の本体へと流れ込むこととなる。
収納部４には引き出し２５が設けられている。上述の扉や引き出し２５を閉じた状態であると、収納部４は当該収納部４に近接する他の空間に対する気密性が確保されるようになっている。気密性を確保する構成としては、例えばシーリングやパッキンなどの周知の気密構造が適用されている。なお、収納部４全体の気密性を確保しなくとも、生ゴミ処理装置３の周辺を囲って、その部分だけ気密性を確保するようにしてもよい。
【００１９】
そして、収納部４の天板４３には、収納部４内と連通する換気口４１が設けられている。この換気口４１には、壁１０１に沿って取り付けられたダクト５の下端部が取り付けられている。他方、ダクト５の上端部は、コンロ２３の上方に設置された換気扇６が連通されている。この換気口４１及びダクト５によって収納部４と換気扇６とが連通するため、換気扇６によって収納部４の内部が換気されることとなる。
【００２０】
以上のように、本実施形態によれば、生ゴミ処理装置３が、流し台２の近傍であって流し台２の直下方の空間（収納空間）を避けるように設置されているので、収納空間が生ゴミ処理装置３によって手狭になってしまうことが防止される。したがって、台所周りで用いられる物品を流し台２の収納空間に収納することができ、台所での作業性を維持した状態で、生ゴミ処理装置３を設置することができる。
【００２１】
また、生ゴミ処理装置３を収納するための収納部４が流し台２の背面で流し台２と一体的に設けられているので、流し台２の収納空間を維持しつつも、流し台２と一体的に生ゴミ処理装置３を収納することが可能となる。
また、収納部４では、近接する他の空間に対する気密性が確保されているので、生ゴミ処理装置３から発生する臭いが収納部４の外部に漏れ出ることを防止することができる。
また、コンロ２３上方に設置された換気扇６を用いて収納部４内が換気されるので、収納部４専用の換気装置を搭載しなくとも、収納部４内の換気を行えることとなる。また、コンロ２３上方の換気扇６は、建物の外部に排気するようになっているため、収納部４内の臭いが建物内に流れ出ることも防止することができる。
【００２２】
なお、本発明は上記実施形態に限らず適宜変更可能である。
例えば、上記実施形態では流し台２の背面にある収納部４に生ゴミ処理装置３が設けられている場合を例示して説明したが、生ゴミ処理装置３は流し台２の近傍であって流し台２の直下方の空間を避けるように設置されていればよい。
例えば図３は、流し台２が台所１００に隣接する収納部屋１０２との境界をなす壁１０１の近傍に配置されている状態を模式的に示す上面視図である。ここで収納部屋１０２とは例えばパントリーや納戸等である。この図３に示すように、収納部屋１０２には、壁１０１の近傍に生ゴミ処理装置３を収納するための収納部４Ａが設けられている。収納部４Ａは生ゴミ処理装置３の本体を覆うような箱状に形成されており、その一部にメンテナンス用の扉が設けられている。この収納部４Ａにおいても周知の気密構造によって気密性が確保されている。そして、生ゴミ処理装置３のパイプは壁１０１を貫通して、生ゴミ処理装置３の本体と生ゴミ粉砕装置とを連通している。
このように、生ゴミ処理装置３を収納するための収納部４が台所１００とは別室の収納部屋１０２に設けられていれば流し台２の大型化を抑制しつつ、生ゴミ処理装置３を収納することができる。
【符号の説明】
【００２３】
１      生ゴミ処理装置設置構造
２      流し台
３      生ゴミ処理装置
４，４Ａ      収納部
５      ダクト
６      換気扇
２１      排水口
２２      シンク
２３      コンロ
４１      換気口
１００      台所
１０１      壁
１０２      収納部屋
【図１】
2015071913.tif 000003
【図２】
2015071913.tif 000004
【図３】
2015071913.tif 000005